(57)【特許請求の範囲】
【請求項１】
熱可塑性樹脂をシート状に押出成形して製造されたＰＴＣ特性を有する平面状の電熱式発熱シートと、
２枚の合成樹脂フイルムを重ねて子袋が連続して配列するように接着した子袋集合体シートの、前記各子袋内に蓄熱完了状態で液状となり、放熱完了状態で固化する性質を持つ潜熱型蓄熱剤と、遠赤外線を放射するセラミック微粒子を混入したものを前記各子袋内に収容した蓄熱マットとから成り、
長尺の布袋内に前記蓄熱マットを挿入した状態で、前記電熱式発熱シートと前記蓄熱マットとを積層状態で、長手方向上下に配置して一方に出入口を開口して加熱空間を形成しており、
前記下側の蓄熱マットは、蓄熱剤が蓄熱によって溶融状態で利用者の体重を分散しながら受けてウオーターベッドのように利用者の背面を弾力的に支持すると共に、上側の蓄熱マットは利用者に重量物として押圧するように構成されており、
吸湿性を持つ衣類、寝袋またはシーツで包まれた利用者が、前記加熱空間内に横臥姿勢で下側の蓄熱マット上に体重を負担させると共に、上側の蓄熱マットの重量を利用者の上面に負担させることによって、利用者の上下両側より、前記蓄熱マットに蓄熱された熱量を、接触状態で直接的に熱伝達するように構成したことを特徴とする発汗装置。
【請求項２】
前記電熱式発熱シートは、合成樹脂製の袋に収容されて絶縁性が付与されており、かつ、この合成樹脂製の袋の周囲にアルミ箔が配置され、前記蓄熱マットから放出される熱を使用者の方に反射するように構成されていることを特徴とする請求項１に記載の発汗装置。
【請求項３】
前記蓄熱マットに使用されている潜熱型蓄熱剤は、利用者との温度差が１５℃以内の高い温度において潜熱による蓄熱と顕熱による熱量とを合わせた総熱量が、蓄熱完了状態で２９ｋｇ当り２０９５ｋｊ以上であることを特徴とする前記請求項１あるいは２の何れかに記載の発汗装置。
【請求項４】
前記潜熱型蓄熱剤の中に、セラミック微粒子と、このセラミック微粒子の沈殿を抑制するための吸水性樹脂の粉末が添加されていることを特徴とする前記請求項１ないし３の何れかに記載の発汗装置。
【発明の詳細な説明】
【技術分野】
【０００１】
本発明は、利用者が横臥姿勢にて風呂の温度程度の低温にて簡単に、しかも短時間に人体に大量の熱量を蓄熱体を介して、間接加熱により強制的に注入して発汗を促すことができる発汗装置に関する。
【背景技術】
【０００２】
大量の発汗を伴いながら血液の循環を促進して体調を整える手段として、サウナ風呂が利用されている。このサウナ風呂は、室内の空気を高温に加熱して利用者に対して短時間に大量の熱を与え、それに伴って短時間に大量の発汗をさせて血液の循環を促進するもので、このサウナ風呂から出た後の爽快感を与えている方法として一般的に利用している。
【０００３】
このサウナ風呂は、９０℃〜１１０℃の高温に室内の空気を加熱する高温サウナと、４５〜５０℃前後に加熱するミストサウナとが知られている。
【０００４】
大型のサウナ装置については、椅子を周囲に形成したサウナ室の天井に、室内の空気を加熱すると共に遠赤外線を放射する加熱装置を設けた低温サウナ装置が提案されている（特許文献１）。
【０００５】
また、一般家庭の風呂程度に小型にしたサウナ装置として浴室の天井部に加熱装置を配置し、浴室内の空気を循環させながら加熱するものが提案されている（特許文献２）。
【０００６】
何れのサウナ風呂の遠赤外線装置も、穏やかな赤外線の照射であり人体に大量の熱を受熱させることはできないものである。また、高温サウナは温度１００℃程度、湿度１％程度であり、その不快指数（汗かき指数）は約１２８である。ここでは、汗のかき易さの一つの目安として、一般にいう不快指数を「汗かき指数」と定義する。なお、不快指数は、温度をＴ（℃）、湿度をＨ（％）とし、次式により求められる。
不快指数＝０．８１Ｔ＋０．０１Ｈ（０．９９Ｔ−１４．３）＋４６．３
【０００７】
前記汗かき指数と体感は、快適（指数：６５〜７０）、暑くて汗が出る（指数：８０〜８５）、暑くてたまらない（指数：８５以上）と分類されている。通常、人体が快適に感ずる温度は２３℃程度、湿度５０％程度であって、その汗かき指数は約６９である。
【０００８】
そして、前記ミストサウナは温度５０℃程度、湿度１００％であるので、その汗かき指数は約１２２である。前述の高温サウナもミストサウナも汗かき指数が８５を遙かに超えており、暑くてたまらず汗が大量に出るのである。換言すると、人体から大量の発汗を促すには、汗かき指数を１００以上とする必要があったのである。
【０００９】
また、ミストサウナよりも低温のものとしては、４０℃程度に温めた岩石などの上に横たわって使用される岩盤浴が知られている。ところが岩盤浴は、その温度と湿度（８０％以上）という環境で行われており、これが細菌やカビなどの繁殖に適した環境となり、利用者の汗や皮脂などを養分として浴室や岩盤に細菌等が繁殖してしまうことがあった。従って、定期的に消毒・乾燥をさせなければならなかった。そして、汗かきは約９９であり、暑くてたまらず汗が出るのである。
【００１０】
更に全身美容を行うエステティックサロンにおいては、ベッドの上にタオル地からなる電熱毛布を敷いて、その上に人体を横たえ、毛布で全身を包んだ状態で加熱して各種の美容方法を行っている。この用途に使用されるベッドは、耐水性のあるものが使用され、人体を包んだ毛布によって人体を電熱により温めている。この電熱毛布は、線状のヒーターが内蔵されており、８０℃以上の高温となっているヒーターにより利用者が火傷をしたり、漏れ電磁波や感電といった問題があった。
【００１１】
いずれにしても発汗手段としてのサウナ装置は大型のものであり、一般家庭に設置することは簡単にできない。例えば、床の上に寝袋を敷いてその中に人体を横たえるだけで体を温める寝袋が提案されている（特許文献３、特許文献４）。
【００１２】
【特許文献１】特許第２８０８３６８号
【特許文献２】実用新案第３０２９３２４号
【特許文献３】特開２００１−４６２０４号公報
【特許文献４】特開平９−１８２６５３号公報
【発明の開示】
【発明が解決しようとする課題】
【００１３】
例えば、３０分以内のような短時間に大量の発汗を目的とする場合は、前記特許文献１および特許文献２に記載された本格的なサウナ風呂が有効である。しかし、一般のサウナ風呂においては９０℃〜１００℃にも加熱された高温空気との接触で人体を加熱することになるので、この高温に耐えられる時間は若い男性でもごく短時間であり、このような高温に耐えられる女性は若くて元気のある人達に限定される。更に、サウナ風呂は連続での入浴は１５分程度であり、この短時間に人体が受熱する熱量は数十ｋｃａｌ（約５０ｋｃａｌ）と僅かなものである。
【００１４】
サウナ風呂は、前述のようにサウナ室に充満している空気の全てを加熱しなければならなので、大量の加熱エネルギーを必要としている。ところが、人体に熱を付与しているのは、人体に接触する空気だけであるので、人体への熱伝導の効率が極めて低いのである。この空気の平均分子量を２９とし、人体近傍の熱の付与に貢献する空気を１ｍ３とすると、その空気の熱量は約２３ｋｃａｌと小さいことがわかる。
【００１５】
そして、高温空気と人体との温度差は約７０℃もあるので息苦しい上に、人によっては熱中症になったり、脱水状態となる危険性があるので、１回当たり１５分程度の利用と３０分程度の休息、水分補給が必要であった。
【００１６】
また、特許文献３に記載された発明は、表面シートと裏面シートとの間に中綿を介在した寝袋であって、中綿を吸放湿吸水発熱性繊維材料からなる発熱性中綿と、発熱性を有しない合成繊維からなる中綿の２層構造としたものであり、吸放湿吸水発熱性繊維材料からなる中綿の吸湿性と発熱性により寝袋内の環境を温暖かつ乾燥状態に保つようにしたものである。従って、この寝袋では発汗を促すような作用効果を有するものではなく、単なる寝具である。
【００１７】
更に特許文献４に記載された寝袋は、保温効果を高めて睡眠を保証することを主体としており、発汗を目的とするものではない。
【００１８】
また、特開２００１−７０４６３号公報（参考文献）には、顕熱型蓄熱体としてコンクリート層を設け、その上にセラミックボールを敷き、コンクリート層を加熱媒体で加熱しながら蓄熱体とセラミックボールとを介して赤外線を放射して体を温めるもので、かなり大がかりな装置となる。また、大量発汗についての効果は余り期待することができない。
【００１９】
更にまた、寝た姿勢で発汗させるものとして、砂風呂が利用されている。この砂風呂は、５０℃程度に加熱された砂床に人体形状の窪み形成し、この窪みに合わせて浴衣などを着衣した使用者が横臥状態となり、使用者の頭部を除く全身に６０℃程度に加熱された砂を被せ、全身が砂の中にすっぽりと覆い被された状態で使用されるものである。
【００２０】
ところで、前記砂風呂は、全身を横たえるのに十分な広さの「砂場」が必要であり、また、全身を覆い被せるだけの大量の砂を必要とし、その加熱設備等も大型化するので砂浴専用の施設や温泉、観光地で利用されるものであった。また、使用者一人あたりに必要な砂の量は、砂を人体に密着させるために５０ｋｇ程度は必要であり、重量が重い上に、その砂の熱量は、砂の比熱が０．２ｋｃａｌ／ｋｇ・℃であるので、温度差２０℃で約１９０ｋｃａｌと重量が重い割には小さい熱量となっている。さらには、人体と砂との温度差が約２０℃以上もあるので、さらさらの汗が大量に分泌されることとなり、人体の体温も上昇するので連続１５分以上は使用できず、十分な休息と十分な水分補給も必要とされている。そして、１５分間に人体が砂から受熱した熱量は、１００ｋｃａｌ程度しかないのである。
【００２１】
そして、人体よりも２０℃以上も高温にしなければならないので、加熱に必要なエネルギーを多く必要とし、また砂は顕熱のみで熱を放出して冷えてしまうので使用中は加熱手段により砂を加熱し続けなくてはならなかった。また、体中に砂が付着して汚れてしまうので体を濯いで砂を洗い落とさなくてはならないという手間もかかった。
【００２２】
また、砂の中は湿度が９０％程度となっており、砂風呂の汗かき指数は約１１８である。
【００２３】
布団の上や寝袋の中、あるいはベッドに寝たような楽な姿勢で、しかも乾式で大量発汗をさせて爽快感を与えながら全身美容術を施すことができれば、従来の泥浴などを使用するエステティック方法に比較して遙かに簡単な方法で全身美容方法を行うことができる。
【００２４】
更に、単に寝た姿勢（横臥姿勢）で、大量発汗を発生し、その発汗に伴って体重を低下させることができ、使用後も爽快感が残り、体に心が温まったような状態となり、更に小型になって収納ができるものであれば、従来の寝袋やサウナ装置にはない効果と便利さを得ることができる、従来にない装置を制作することができる。
【００２５】
本発明は、前記各種の従来技術の課題に鑑み、通常の寝具である布団や寝袋に類似した形態を有しながら、従来の寝袋型の発汗装置に比較して遙かに快適な受熱感を感じながら、４５℃以下ないし少しばかり高めの風呂程度の温度、ないし体温に近い温度でありながら、大量の熱量を人体に注入して、短時間に大量の発汗を促すことができる、従来にない、発汗方法とその装置を提供することを目的とするものである。
【課題を解決するための手段】
【００２６】
本発明に係る発汗装置は、次のように構成されている。
１．熱可塑性樹脂をシート状に押出成形して製造されたＰＴＣ特性を有する電熱式発熱シートと、
２枚の合成樹脂フイルムを重ねて子袋が連続して配列するように接着した子袋集合体シートの、前記各子袋内に蓄熱完了状態で液状となり、放熱完了状態で固化する性質を持つ潜熱型蓄熱剤と、遠赤外線を放射するセラミック微粒子を混入したものを前記各子袋内に収容した蓄熱マットとから成り、
長尺の布袋内に前記蓄熱マットを挿入した状態で、前記電熱式発熱シートと前記蓄熱マットとを積層状態で、長手方向上下に配置して一方に出入口を開口して加熱空間を形成しており、
前記下側の蓄熱マットは、蓄熱剤が蓄熱によって溶融状態で利用者の体重を分散しながら受けてウオーターベッドのように利用者の背面を弾力的に支持すると共に、上側の蓄熱マットは利用者に重量物として押圧するように構成されており、
吸湿性を持つ衣類、寝袋またはシーツで包まれた利用者が、前記加熱空間内に横臥姿勢で下側の蓄熱マット上に体重を負担させると共に、上側の蓄熱マットの重量を利用者の上面に負担させ、利用者の上下両側より、前記蓄熱マットに蓄熱された熱量を、接触状態で直接的に熱伝達するように構成したことを特徴とする発汗装置。
２．前記電熱式発熱シートは、合成樹脂製の袋に収容されて絶縁性が付与されており、かつ、この合成樹脂製の袋の外表面にアルミ箔が配置され、前記蓄熱マットから放出される熱を使用者の方に反射するように構成されている。
３．前記蓄熱マットに使用されている潜熱型蓄熱剤は、利用者との温度差が１５℃以内の高い温度において潜熱による蓄熱と顕熱による熱量とを合わせた総熱量が蓄熱完了状態で、２９ｋｇ当り２０９５ｋｊ以上であることを特徴としている。
４．前記潜熱型蓄熱剤の中に、セラミック微粒子と、このセラミック微粒子の沈殿を抑制するための吸水性樹脂の粉末が添加されていることを特徴としている。
【００２７】
４．前記平面状の電熱式発熱シートを収容した合成樹脂製の袋の周囲にアルミ箔が配置され、前記蓄熱マットから放出される熱を使用者の方に反射するように構成されていることを特徴としている。
５．前記潜熱型蓄熱剤は、利用者の体温との温度差が１５℃以内の高い温度において潜熱による蓄熱と顕熱による蓄熱をと合わせた総蓄熱量が蓄熱完了状態で、２９ｋｇ当たり２０９５ｋｊ以上であることを特徴としている。
６．前記潜熱型蓄熱剤に混入されるセラミック微粒子は、酸化アルミニウム（Ａｌ２Ｏ３）の微粒子であることを特徴としている。
７．前記潜熱型蓄熱剤中に、セラミック微粒子と、このセラミック微粒子の沈降を抑制するための吸水性樹脂の粉末が添加されていることを特徴としている。
８．前記加熱空間内に利用者が進入して横臥状態になった時に、前記発熱シートへの通電を自動的ＯＦＦする電気回路と、前記ＯＦＦの状態を解除してＯＮさせ、このＯＮの時間を最大で１時間以内の延長が可能な電気回路が設けられていることを特徴としている。
９．熱可塑性樹脂にカーボン微粉末を混入してシート状に押し出し成形したＰＴＣ作用を持つ電熱式発熱シートと、２枚の合成樹脂シートを小袋状に分割して接着した袋体の集合体の内部に、蓄熱完了状態で液状となり、放熱完了状態で固化する性質を持つ潜熱型蓄熱剤を充填した蓄熱マットとを長尺の布袋の内部に積層状態で収容したものを上下に配置して一方に出入口を開口した加熱空間を形成し、
前記加熱空間内において、吸湿性を持つ衣服、寝袋またはシーツに包まれた利用者が、横臥姿勢で下面の液状の蓄熱剤となった蓄熱マットに体重を負担させ、更に上面の蓄熱マットの重量を受けるように形成し、その利用者に蓄熱マットが保有する熱量を、押圧接触状態で直接、上下両面より熱伝達させ、前記利用者より発生した汗を吸収させながら、使用者の体温より１５℃以内の高い温度で加熱するように構成したことを特徴としている。
【００２８】
また、本発明の変形例としては次の構成が考えられる。
【００２９】
Ａ．本発明発明に係る装置を使用する場合、人体の胸面で受ける蓄熱マットの重量はかなり重いものであり、老人や痩身の使用者によっては胸苦しく感ずることがある。そのような事態の時に蓄熱マットの重量を軽減する手段を適宜設けると良い。
具体的には、図１１に示すように前記加熱空間を構成する蓄熱マットの内、上側の蓄熱マットの重量を軽減するための補助吊上げ手段４０が設けることである。そしてこの補助吊上げ手段４０は、使用者の手元で吊り上げ力が調整できるように構成されていると、必要に応じてその調整手段であるレバー４１を操作して蓄熱マットの重量を好みに合わせて調整することができる。
【００３０】
Ｂ．前記のように発熱シートを構成している合成樹脂製の袋の下側に表面にアルミ箔を貼付ないし別体のシートとしたものを配置することによって、その反射を利用して蓄熱マットが放出する熱量を人体側に向けて放射することができる。そして、このアルミ箔をアースすることによって、万一の電気的な障害を防止することができる。また、発熱シートが放射する漏れ電磁波を軽減することも可能である。
【発明の効果】
【００３１】
Ａ．（急速熱付与）
本発明は、電気毛布や電気カーペットのように電熱を人体に直接に伝達するものではなく、電熱によって発生した熱量を一旦、潜熱型の蓄熱剤を収容した蓄熱マットに伝達して主として潜熱で蓄熱しておき、この蓄熱マットに接触状態ないし実質的に接触した状態で利用者に対して、その「潜熱と顕熱」を一挙に注入することで、発汗必要とする熱量を与えるものである。
【００３２】
Ｂ．（体温程度の温度の人体の加熱）
しかも、潜熱型の蓄熱剤の温度は、体温付近の温度であり、また、通常の暖房器具と比較するとかなり低温に属する温度であり、熱めの風呂程度の温度を使用している。
蓄熱剤より人体に与える熱量が大量であるにもかかわらず、使用者には熱めの風呂程度の熱さしか感じさせず、装置を利用している間に睡眠を催す感じとなっている。
【００３３】
Ｃ．（骨を加熱する人体の加熱）
蓄熱剤からの人体への熱移動は、なるべく短時間に行われる必要がある。特に、蓄熱剤からの放射熱は、骨（リン酸カルシウムが９０％、炭酸カルシュウムが１０％）を構成するリン酸カルシュウムが熱を吸収する波長を持つものが適している。
【００３４】
Ｄ．（低温の骨の加熱）
通常は蓄熱剤から発生する放射熱は、リン酸カルシウムの吸収波長である１０μｍではない場合が多い。そこで、蓄熱マットより発生する放射熱の波長を前記波長に合わせるためには、使用温度（例えば、４５℃程度）において前記吸収波長の赤外線を放射するセラミックを併用するのがよい。
具体的には、セラミック（酸化チタン、酸化アルミニウムなどを主成分とする）を微細に粉末化したものを使用するのがよい。なお、セラミック微粒子は、溶融した蓄熱剤の中で浮遊し、短時間に沈殿することがない性質を持つものを選択する。
【００３５】
Ｅ．（多量の発汗）
利用者の人体と実質的に密着する下側の蓄熱マットから直接に大量の熱量が人体へ移動させると共に、骨の主成分であるリン酸カルシウムの赤外線の最大吸収波長である１０μｍ前後の赤外線を照射するように構成したので、コンベクションオーブンのように表面から熱伝導させるサウナ風呂とは比較にならない急速な発汗作用が得られる。また、呼吸は通常の室内で行えるので、高温乾燥空気により呼吸器系を痛めてしまうことが防止される。
前記セラミックにより、使用者は体の芯から十分に温まり体温が１．５〜２℃程度上昇し、使用後も８時間以上はホカホカと温かさを感ずることができる。使用者ｈ、使用開始１０分程度で極めて心地よい熱さを感じ、１５分程度で全身からベットリとした無味の汗が出るのである。
【００３６】
Ｆ．（肥満防止効果）  
人体の骨の周囲には褐色脂肪細胞が存在しており、この褐色脂肪細胞は白色脂肪細胞（所謂、肥満原因の細胞）からエネルギーもらい、これを熱エネルギーとして体温を上昇させる働きがあることが知られている。
本発明に係る発汗装置は、骨を加温し、この骨の周囲に存在している褐色脂肪細胞を活性化し、白色脂肪細胞のエネルギー燃焼を促進させているものと考えられる。従って、食餌療法（ダイエット）や運動（エクササイズ）のように中止するとリバウンドしてしまうことがないものと考えられる。
従って、本発明にかかる発汗装置により、使用者は単に横たわっているだけで肥満の原因である白色脂肪細胞を効果的に燃焼させることができ、激しい運動よりも優れた痩身効果を持続して発揮できるものと考えられる。そして、健康が増進されて未病に大きく貢献することが考えられる。
【００３７】
Ｇ．（低体温の体温上昇効果）
婦人等体温が健康体（３６〜３７℃）よりも低い人（３５℃以下）は、体温を上げることで体内の酵素が活性化して免疫力が向上することが知られている。
しかし、本発明の発汗装置を継続的に使用することによって、前記体温が低い人の免疫力が改善され、風邪をひかなくなったとの多数の実験例を得ている。
【発明を実施するための最良の形態】
【００３８】
（発汗装置の構造）
図１は、本発明にかかる布団型ないし寝袋型の発汗装置（Ｓ）の側面図である。同図において１は、合成樹脂発泡シートからなる下敷きシートであり、床面との伝熱を遮断している。そして、この下敷きシート１の上に長い発熱シート２をＵ型に曲げて、その内部に利用者の人体４を横たえるようになっている。この利用者の人体４を収容する空間が「加熱空間」である。
【００３９】
前記発熱シート２の内、人体４の下側になる表面には下側蓄熱マット５を配置し、また、人体４の上側の面、つまり発熱シート２ａの上側には上側蓄熱マット６を配置している。そして、前記Ｕ型に曲げられた発熱シート２の内側に厚手のタオル地からなる吸汗層７をＵ型に二つ折りに曲げた状態で収容しておく。
【００４０】
なお、この吸汗層７は寝袋状に形成して人体４を肩から足先まで包むように構成する。また、この吸汗層７が厚いタオル地の場合は、洗濯、乾燥あるいは消毒などの処理に困難が伴うことがあるので、これらの便宜性を含めて決めるのが良い。また、大型の筒形の衣服のような形のものを着用することで吸汗層７の全部あるいは一部とすることができる。
【００４１】
何れにしても、人体４の肩から体、そして足先までその周囲をすっぽりと包み、恰も暖かい室に入ったように保温しながら、発汗を心地よく吸い取り、人体４には水分を感じさせないような性質を有するものが好ましい。
【００４２】
本発明に係る装置を使用する際は、人体４は裸のままでも良いが、なるべく浴衣のような体を束縛しない簡単な衣類を着用するのが良い。多くの場合、発汗装置Ｓの下側の蓄熱マット５、上側の蓄熱マット６が露出して空気に触れると無駄な放熱が大きいので、発汗装置（Ｓ）全体に図１に示すように、薄手の布団か毛布などの上掛け８を掛けておくのがよい。
【００４３】
本発明の構成要素として「背面蓄熱マット５と胸面蓄熱マット６」とは重要な部材であり、この発汗装置（Ｓ）を使用する前に十分に蓄熱できる蓄熱容量があること。好ましくは、２９ｋｇ当たり２０９５ｋｊ（５００ｋｃａｌ）であることである。
【００４４】
そして第２の要件は、あたかもゴム風船の中に風呂のお湯程度の温度ないしそれより若干高温の液体を入れたように、至極柔らかいが張りがあり、蒲鉾形あるいは半球状に形成され、また人肌のような柔らかい感触を持つような「弾性反発体」あるいは「蓄熱弾性体」であることである。
【００４５】
第３の要件は、「弾性反発体５ａ、６ａ」あるいは「蓄熱弾性体５ａ、６ａ」は前記のように柔軟ではあるが、使用者が体重を落とした程度の衝撃力が作用しても破壊しないような耐久性を有するものであることである。
【００４６】
この蓄熱弾性体の形状は、製造工程の簡易性と取扱い性を考慮して蓄熱弾性体の集合体であるシート状であることが最も適しているが、蓄熱剤を内部に充填した球状物を紐状物などの連結部材で連結してシート状に形成しても良い。
【００４７】
図２は、背面あるいは胸面蓄熱マット５，６の一部を示す断面図であり、図３は同平面図である。
【００４８】
蓄熱マット５、６を構成するフィルムＦは、図４に示すように下地層ｆ１と中間層ｆ２と表面層ｆ３で構成された３層構造の積層フィルム、あるいは２層構造の積層フィルムを使用する。３層構造の積層フィルムの場合、下地層ｆ１は２００μｍ厚程度のポリエチレン（熱接着層）と中間層ｆ２が厚さ１５μｍのポリアミド系合成繊維（ナイロン）の延伸フィルムで、強度とガスバリア性を持たせている。更に表面層ｆ３は厚さ１５μｍのナイロンの延伸フィルムで、強度とガスバリア性を持たせている。２層構造の積層フィルムの場合は、下層は厚さ２００μｍのポリエチレンフィルム、上層は厚さ１５μのナイロンの延伸フィルムである。
【００４９】
前記蓄熱マット５，６用のフイルムＦは、前記複合構造に限定されるものではなく、電気的、熱的に安定で安全な性質を持つものであれば、単層構造のものでも使用することができる。
【００５０】
本発明においては、このフィルムＦが硬いと使用感がゴワゴワとするので、エンボス加工などにより適当な皺や微細な溝を形成して柔軟性を与えるようにするのがよい。
【００５１】
前記のような構成のフィルムＦは、図３に示すように、上下二枚合わせにして周囲と底部を溶着ｃして一端に開口を持つ袋体Ｂを形成し、更にこの袋体Ｂの長手方向に中間部を溶着ｄして平行する袋体ｂ１，ｂ２を形成する。
【００５２】
次いで、この二つの袋体ｂ１，ｂ２の中に液体ないしジェル状になるように加熱された蓄熱剤ｈを充填する。そして前記平行する二つの袋体ｂ１，ｂ２を、長さ方向の所定間隔で横断して図５に示すように小袋状に区分し、複数の蓄熱弾性体５ａを二列に配列して形成する。
【００５３】
図２に示すように蓄熱弾性体５ａを小袋状に区分けした理由は、ジェル状の蓄熱剤ｈの移動を制限し、体重などの押圧力が作用したときに内部の圧力を高め、その結果、反発力として弾性力を発揮させるためであり、この弾性力の発生によって人体４がその上に横臥したときに張りのある風船に乗ったような快適な感覚を与える。
【００５４】
（発熱シート）
発熱シートは、ミサト株式会社（埼玉県幸手市上和田５２１−１８）の製品、商品名「プラヒート」で、自動温度制御機能（ＰＴＣ作用）をもつもので、幅が２５０、３００、５００ｍｍ、前者は６０〜７０Ｗ／ｍ、後者は９０Ｗ／ｍのものが使用される。
【００５５】
（蓄熱マット）
前記蓄熱マット５、６を構成している蓄熱弾性体５ａ、６ａは、体積がある大きさより大きいと弾性力が低下し、小さいと硬くなるばかりか、溶接部が剥離しやすくなる傾向がある。下側蓄熱マット５は、人体４に実質的に接触してその体重を負荷しながら蓄熱を放出して人体４を体温程度の低温で温めるためのものである。
【００５６】
図５は、発熱シート２と蓄熱マット５、６との関係を示しており、これらの蓄熱マット５，６は必ず発熱シート２と積層状態で配置されており、発熱シート２の面積の方が蓄熱マット５、６より僅かに大きく、また、長く設計されている。本実施例においては、蓄熱マット５は２枚積層して弾力性と変形性（人体の形状に沿って変形する）および蓄熱量を増加させている。
【００５７】
発熱シート２と上側の蓄熱マット６との積層状態は、前記の構成に限らず、図１０（Ａ）に示すように発熱シート２の上側に発熱マット６を配置したり、（Ｂ）に示すように下側に配置したり、あるいは発熱シート２の上側と下側の両側に配置することで熱伝導性と良好に保持することができる。
【００５８】
図６は、蓄熱マット５、６を収容する布袋３１，３２と発熱シート２を収容する布袋２０を示す斜視図であって、厚みの大きい布袋１０ａの中央部に長手方向に仕切り１０ｂが形成されており、それぞれの布袋１０ａの中に背面蓄熱マット５を前記積層状態で挿入する。また、厚みの小さい布袋１０ｃも長手方向に仕切り１０ｄが形成されており、それぞれの袋１０ｃの中に胸面蓄熱マット６挿入するように構成されている。
【００５９】
厚みの厚い布袋１０ａと厚みの薄い布袋１０ｃは、図示しないマジックテープ（登録商標）等の連結手段により、発熱シート２を収容した布袋２０に密着状態で貼り付けられるように構成されている。また、これらの布袋１０ａ，１０ｃ，２０の開閉口１０ｆには、図示しないマジックテープ（登録商標）が設けられており、蓄熱マット５、６や発熱シート２の出し入れ可能に構成されている。
【００６０】
なお、図９に示すように発熱シート２の絶縁袋であるフイルム２ａの外側をアルミ箔Ａｌで包んで熱伝導性と必要に応じてアースを取って電気的に安全を図っている。
【００６１】
図７は、発熱シート２を布製のカバー袋２０内に収容した状態を示す断面図であって、通常、前記発熱シート２は合成樹脂フィルム製のカバー２ａ内に収容されて電気絶縁されており、本発明においては更にカバー袋２０に収容して使用する。
【００６２】
図８は、前記図７に記載されたカバー袋２０内に発熱シート２を２枚収容し、それぞれの上面に図６に示した袋３１の収納部１０ａにそれぞれ下側蓄熱マット５，５を収納した蓄熱剤入り袋を配置した状態を示している。
【００６３】
図８においては、２枚の発熱シート２，２に対してそれぞれ下側蓄熱マット５，５を組み合わせた装置を示しているが、この発熱シート２の幅が２倍あれば、１枚の発熱シートに対して複数枚の蓄熱マット５を組み合わせて蓄熱部を構成することができる。
【００６４】
〔発汗装置の部材の概略寸法〕
実際の発汗装置の概略寸法を例示すると下記のようになっている。
Ａ．蓄熱マット布製カバー
ａ）背面蓄熱マット用袋：長さ：１６２０ｍｍ、幅：２５０×２
ｂ）胸面蓄熱マット用袋：長さ：１４００ｍｍ、幅：２５０×２
Ｂ．平面状電熱式発熱シート用布製カバー
全長：３０５０ｍｍ、幅：５００ｍｍ
Ｃ．発熱シート用カバーと蓄熱マット布カバーの取付け
背面蓄熱マット用袋と胸面蓄熱マット用袋とを３０ｍｍの間隔で形成されるように連結する。前記３０ｍｍの間隔は平面状電熱式発熱シートが下側から上側に位置を変えるための穴を形成するためのものである。
Ｄ．蓄熱剤の使用量の一例
ａ）背面蓄熱マット５の蓄熱剤（硫酸ナトリウム１０水塩）の量：２５ｋｇ
ｂ）胸面蓄熱マット６の蓄熱剤（硫酸ナトリウム１０水塩）の量：４ｋｇ
全体の蓄熱剤の量：２９ｋｇ（蓄熱剤全体の蓄熱量：約５１１２ｋｊ（１２２０ｋａｌ）
なお、前記蓄熱量約５１１２ｋｊは、請求項５で限定された２０９５ｋｊ（５００ｋｃｌ）に比較して大きな数値になっているが、この２０９５ｋｊは理論計算して得られた値を、また５１１２ｋｊは、現実の装置における発熱量を測定して得られた値であり、装置の構成や寸法によって大きく変動するものである。
また、蓄熱量は、１回の通電による蓄熱において、その利用者が装置を使用中に大量に汗をかき、更に眠気を催す程度に低温でありながら十分に加熱できるものであることが好ましい。
【００６５】
（蓄熱剤の種類）
蓄熱剤ｈは、使用者の年齢、加熱温度の好み、使用する時間によってへんかさせて設計することがあり、その溶融温度や凝固温度が変化する。
【００６６】
通常の体調の人の場合は、２５℃〜４５℃の温度差において、相変化を伴って蓄熱と放熱を行う性質を持つ材料が好ましく、本発明においては、２８℃〜３２℃の温度差において相変化を伴って蓄熱あるいは放熱を行う性質を持つ「芒硝」を主体として使用する。前記結晶芒硝は、硫酸ナトリウム１０水塩（Ｎａ２ＳＯ４・１０Ｈ２Ｏ）のことである。
【００６７】
蓄熱剤が単体の場合は、予定された吸熱を放熱の目的に適合しない場合も発生するので、これをベースとして、これに第三成分を添加して溶融点と凝固点を調整したものを使用するのがよい。
【００６８】
一例としては、硫酸ナトリウム１０水塩に、第三成分として塩化ナトリウム水溶液を若干加えることによって目的とする特性を有するように調整することができる。
【００６９】
この蓄熱剤としては、前記のように融点と凝固点との間に人体に悪影響を与えない温度範囲を持ち、できるだけ「骨」を温める性質を持つものであることが必要である。前記芒硝の場合は、２９ｋｇで５１１２ｋｊ（１２２０ｋａｌ）の蓄熱量があり、この種の低温加熱用に最適なものである。
【００７０】
本発明の実施例においては、蓄熱剤が溶融している温度、すなわち蓄熱完了状態である４５℃で使用されるものであって、人体との温度差は約１０℃しかないものの、砂風呂（５０ｋｇの砂）の４倍以上、サウナ風呂の３６倍以上という圧倒的な熱量を有しているのである。なお、使用開始時の蓄熱剤は４５℃となっており、このときの顕熱も含まれるので、蓄熱量は１０００ｋｃａｌをゆうに超えている。そして、その熱量のほとんどが、蓄熱マットが実質的に人体に密着して直接伝導により人体に受熱されることになる。
【００７１】
その他の蓄熱剤としては、ノルマルパラフィン（パラフィン系潜熱蓄熱剤）を使用することができる。このパラフィン系潜熱蓄熱剤は、炭素鎖数に応じて凝固温度（融解温度）が低いものから高いものまで種々のものがあり、使用者の好みや加熱温度等に適した蓄熱剤が利用できる。この他には、チオ硫酸ナトリウム５水塩（Ｎａ２Ｓ２Ｏ３・５Ｈ２Ｏ、融点４８℃）、酢酸ナトリウム３水塩（ＣＨ３ＣＯＯＮａ・３Ｈ２Ｏ、融点５８℃）、塩化カルシウム６水塩（ＣａＣｌ・６Ｈ２Ｏ）、リン酸ナトリウム１２水塩（ＮａＨＰＯ４・１２Ｈ２Ｏ）、硝酸ニッケル３水塩（Ｎｉ（ＮＯ３）２・３Ｈ２Ｏ）、塩化ナトリウム水溶液などがある。
【００７２】
しかし、発明者が３０年もの間に亘って使用した経験からすると、万が一漏出しても使用温度が低くて火傷をしないこと、毒性がなく不燃性であること、そして蓄熱量の大きさから、前記硫酸ナトリウム１０水塩がよい。
【００７３】
（セラミックの使用）
蓄熱剤は、相変化に伴って所定の潜熱と顕熱を吸収し、また、吸収した潜熱を放出する特性を有するものであるが、本発明の作用効果を増大するには、単に人体を蓄熱剤の放熱を利用して温めるだけではなく、体の芯から温め、体全体に温かさを感じさせる必要がある。
【００７４】
そこで本発明においては、使用温度（４５℃程度）において使用者の骨（特に背骨）が吸収しやすい波長（１０μｍ前後）の赤外線を放射する性質を持つセラミックの微粉末を蓄熱剤の中に混合して使用する。
【００７５】
具体的には、アルミナ（Ａｌ２Ｏ３）の＃５００、＃８０００のものを使用することによって使用温度における最適な波長の放射熱を発生させ、人体を効果的に温めることができる。その他、酸化チタン（ＴｉＯ２：チタニア）、炭酸カルシウム（ＣａＣＯ３）などの微粉末を使用することができる。
【００７６】
このセラミック微粉末の添加量は、重量％で蓄熱剤の量に対して「１から１．５％」程度で十分にその効果を発揮することができる。
【００７７】
セラミック微粉末を蓄熱剤中に添加すると、時間の経過と共に次第に沈殿し、遠赤外線の放射効率が減退するという問題が発生する。この問題を解決するために、蓄熱剤に微細な吸水性樹脂粉末を１％程度添加しておくことによって、セラミック微粉末の沈殿現象を回避することが可能である。
【００７８】
（蓄熱マットから発生する熱の有効利用）
特に下側（背面側）の蓄熱マット５から放出される熱量はかなり大きい。また、その熱量の伝熱と輻射される方向は、蓄熱マット５の表裏両面である。従って裏面から放出される熱量は人体の加熱のロスとなるものである。そこで、図９に示すように発熱シート２を包むフイルム２ａと袋１０の間にアルミ箔Ａｌを下敷き状に配置することによって、これを熱反射の鏡として使用することによって、熱効率を向上させることができる。
【００７９】
（発汗装置の使用方法）
本発明に係る発汗装置を使用するときには、使用する２〜３時間程度前に通電して蓄熱マット５，６を加熱し、この蓄熱マット５，６内に収容されている蓄熱剤ｈに十分な潜熱を蓄熱させて溶解させ（３２℃）、さらなる加熱により顕熱を蓄熱させる（４５℃程度）。そして、本発明に係る装置を使用するときには通電を「ＯＦＦ」として安全を確保しておき、前記蓄熱マット５，６に蓄熱された熱量のみで人体４を加熱するように使用する。このとき、人体４と実質的に接触している蓄熱マット５，６からの直接的な熱伝導と、この蓄熱マット５，６から放射される遠赤外線（主として１０μｍ程度の波長）とにより、人体の外側と内側から温める。
【００８０】
（タイマーの必要性）
発熱シート２への通電を「ＯＦＦ」するタイマーは重要である。蓄熱マット５，６に収容された蓄熱剤ｈが蓄熱した熱量で１時間程度は十分に人体を温めることができるし、使用者によっては１時間よりも長く使用したい場合がある。また、使用中に僅かであるが蓄熱剤の温度が徐々に低下する。そこで、使用者の好みにより、タイマーを操作して所定時間（例えば、１５分刻み）蓄熱マット５，６を再加熱して「追い炊き」できるようになっている。
【００８１】
このような危険性を避けるために、「基本通電時間」タイマー（通常は蓄熱剤の蓄熱完了までの時間の約１時間）と、更に「追加的通電時間」を起動する追加タイマーとの回路を設置しておくことが良い。
【００８２】
この追加タイマーは、所謂浴槽の「追い炊き」に相当しており、その時間は例えば、１５分刻みで最長で１時間を限度として通電できるように回路構成をするのが良い。
【００８３】
このタイマーは、例えば１回のボタンの押しで１５分で一つのＬＥＤが灯り、二回の押しで二つ目の色の違うＬＥＤが灯り、以下同様にして最長で１時間に限定された通電をするように構成しておけば、発汗装置Ｓを安全に、しかも使用者本人の「確認のもと」でタイマー操作を行ない、使用者の体格や体調などに合わせて人体の加熱時間を調節して安全に装置を安全に運転することができる。
【００８４】
（装置の使用温度）
本発明に係る発汗装置は温度４５℃、湿度６０％程度で使用されており、その汗かき指数は約１０１であり、十分に汗をかくことができるものであるが、体温との温度差が比較的小さいという特徴を有している。
【００８５】
（使用感）
ア）本発明にかかる発汗装置は、極めて心地よい熱さを感ずるものであり、従来にない経験をすることになる。しかも使用開始後、約１０分で体全体に火照りを感じ、１５分を過ぎる頃には全身および顔から汗が噴出するようになる。
【００８６】
イ）本発明にかかる発汗装置は、サウナに入るのとは違い、心地よい熱さであり、３０分を過ぎる頃からはサラサラのしょっぱい汗はあまりでず、ベットリとした無味の汗となる。恰もマラソンでスタート地点から１２ｋｍ付近を走行しているときに出る汗のようである。
従って、サウナ風呂のように最初から最後まで、大量の水分とイオンを含んだ汗（サラサラでしょっぱい）が噴出し続けることがないので、使い終わった後で、ビールが欲しくなるような喉の渇きはサウナ風呂のようには感じない。
【００８７】
ウ）本発明にかかる発汗装置を、週に１〜２回程度で、各１時間程度、約３ヶ月も使用した４０代半ばの男性の場合、最初に６８．５ｋｇあった体重が、６１．６ｋｇに減少している。そして、全身の血行が良くなり、精神的に安定感が得られ、「穏やかな心地」となる。
特に、本発明にかかる発汗装置の特徴は、きつい体操などの運動がなく、誰でも長く使用することができ、しかもその間、読書したり、音楽を聴いたり、あるいはテレビのドラマを見たりすることができる。更に驚いたことには、本発明にかかる発汗装置を使用した後には、他の体重減量方法に比較して体重のリバウンドが全くないことである。
【００８８】
エ）また、不眠症、冷え性で、便秘性で、寝起きが悪い７０歳代前半の女性の場合は、本発明にかかる発汗装置を使用するようになってから、不眠症が治り、冷え性を感じなくなり、使用後かなりの長い時間（約３時間）気持ちの良い温かさを保ち、便通がよくなり、血流が良くなる感じがするように体調の全体が改善された。
【００８９】
オ）以上のように、本発明にかかる発汗装置によると、横臥姿勢で、快い状態で大量の発汗を促し、単に横臥の状態でありながら、減量ができたり、不眠症が治ったり、便秘が治ったりなどの多数の体調の改善例がある。
特に、最近はメタボリックシンドロームが問題となっており、企業においても従業員の健康管理の責任が発生しているが、このような健康管理にも本発明の装置は大きな威力を発揮することができるものである。そして、さらには健康な身体を維持するための未病管理にも貢献することができるものである。
【００９０】
カ）そして、人体との温度差が比較的小さいにもかかわらず、従来にはない圧倒的な熱量を人体に付与することができる。すなわち、人体との温度差が１５℃以内で、潜熱および顕熱とによる蓄熱量が１０００ｋｃａｌを超えており、しかも１時間から１時間半とゆっくりと時間をかけて使用されるので、従来にはない大量の受熱が可能となった。
【００９１】
キ）蓄熱マットが、ウォーターベッドのように使用者の人体を優しく保持するので、快適な寝心地で使用することができる。また、体の曲線や凹凸に合わせて変形して密着するので、熱効率も一層高まる。
【００９２】
本発明の実施の形態における蓄熱剤の充填量は、使用者の体格・性別・年齢などによって変更可能なものであって、前記実施例に限定
【図面の簡単な説明】
【００９３】
【図１】本発明に係る簡易発汗装置の使用方法の説明図である。
【図２】蓄熱マットの断面図である。
【図３】図２に示した蓄熱マットの平面図である。
【図４】蓄熱マットを製作するフィルムの拡大断面図である。
【図５】発熱シートとその上に載置される蓄熱マットを示す斜視図である。
【図６】２種類の蓄熱マットと発熱シートを収容するための布カバーの斜視図である。
【図７】発熱シートを布カバーの中に入れた状態を示す断面図である。
【図８】発熱シートと蓄熱マットの積層状態を示す斜視図である。
【図９】発熱シートの下面にアルミ箔を配置して熱の反射鏡として構造の断面図である。
【図１０】（Ａ）は発熱シートの上側に蓄熱マットを配置した構造、（Ｂ）は発熱シートの背面蓄熱マットを配置した構造、（Ｃ）は発熱シートの上下面に蓄熱マットを配置した構造を示す側面図である。
【図１１】図１１は蓄熱マットの重量を軽減するための補助吊り上げ手段を示す斜視図である。
【符号の説明】
【００９４】
Ｓ    簡易発汗装置
ｈ    蓄熱剤  
Ｂ    袋体
ｂ1、ｂ2    袋体  
２    発熱シート
５    背面蓄熱マット
６    胸面蓄熱マット
５ａ，６ａ  蓄熱弾性体
７    吸汗層
１０ａ、１０ｃ    布袋
１０ｂ、１０ｄ    仕切り
１０ｆ    開閉部
２０    カバー袋
３０    布袋
【図１】
0004563442.tif 000002
【図２】
0004563442.tif 000003
【図３】
0004563442.tif 000004
【図４】
0004563442.tif 000005
【図５】
0004563442.tif 000006
【図６】
0004563442.tif 000007
【図７】
0004563442.tif 000008
【図８】
0004563442.tif 000009
【図９】
0004563442.tif 000010
【図１０】
0004563442.tif 000011
【図１１】
0004563442.tif 000012